(57)【要約】【課題】小型化が可能であり且つより広帯域化が可能な新規な形状のアンテナを提供する。【解決手段】グランドパターン２と、給電され且つ給電位置１ａから最も遠い縁部分からグランドパターン２側に切欠き５が設けられた平面エレメント１とを具備し、グランドパターン２と平面エレメント１とが併置されるものである。切欠き５を設けることに小型化が可能になると共に、低周波域における放射を得るための電流路を確保することができるようになる。また、グランドパターン２と平面エレメント１が併置されるので、設置体積が小さくなると共に、アンテナ特性、特にインピーダンス特性を制御しやすくなり、広帯域化を実現できるようになる。【選択図】  図１
2004328693.tif 000002
【特許請求の範囲】
【請求項１】
グランドパターンと、
給電され、給電位置から最も遠い縁部分から前記グランドパターン側に切欠きが設けられた平面エレメントと、
を具備し、
前記グランドパターンと前記平面エレメントとが併置される
ことを特徴とするアンテナ。
【請求項２】
前記平面エレメントが、当該平面エレメントに設けられた前記切欠き以外の縁部が前記グランドパターンに対向するように配置されることを特徴とする請求項１記載のアンテナ。
【請求項３】
前記グランドパターンが、前記平面エレメントの全ての縁部を囲うことなく、且つ前記切欠きを含む、前記平面エレメントの縁部の少なくとも一部に対して開口が設けられるように形成される
ことを特徴とする請求項１記載のアンテナ。
【請求項４】
前記切欠きが矩形であることを特徴とする請求項１記載のアンテナ。
【請求項５】
前記切欠きが、前記平面エレメントの給電位置を通る直線に対して対称形に形成されることを特徴とする請求項１記載のアンテナ。
【請求項６】
前記平面エレメントが、
前記グランドパターンに対向する辺を底辺とし、当該底辺に対して垂直又は実質的に垂直に側辺が設けられ、上辺に前記切欠きが設けられた形状を有する
ことを特徴とする請求項１記載のアンテナ。
【請求項７】
前記底辺の両端の角が隅切されていることを特徴とする請求項６記載のアンテナ。
【請求項８】
前記平面エレメントと前記グランドパターンとの少なくともいずれかが、
前記グランドパターンと前記平面エレメントの距離を連続して変化させる部分を有する
ことを特徴とする請求項１記載のアンテナ。
【請求項９】
前記平面エレメントの前記グランドパターンに対向する縁の少なくとも一部が曲線となっていることを特徴とする請求項１記載のアンテナ。
【請求項１０】
前記平面エレメントが、誘電体基板と一体として形成されることを特徴とする請求項１記載のアンテナ。
【請求項１１】
アンテナ用誘電体基板であって、
誘電体の層と、
当該アンテナ用誘電体基板の第１の側面に最も近い縁部分から前記第１の側面に対向する第２の側面方向に切欠きが形成されている導体を含む層と、
を有するアンテナ用誘電体基板。
【請求項１２】
前記切欠きが矩形であることを特徴とする請求項１１記載のアンテナ用誘電体基板。
【請求項１３】
前記切欠きが、前記導体の給電位置を通る直線に対して対称形に形成されることを特徴とする請求項１２記載のアンテナ用誘電体基板。
【請求項１４】
前記導体が、前記第２の側面に最も近い辺を底辺とし、当該底辺に対して垂直又は実質的に垂直に側辺が設けられ、前記第１の側面に最も近い上辺に前記切欠きが設けられた形状を有することを特徴とする請求項１２記載のアンテナ用誘電体基板。
【請求項１５】
前記底辺の両端の角が隅切りされていることを特徴とする請求項１４記載のアンテナ用誘電体基板。
【請求項１６】
前記導体の第２の側面に最も近い縁部が、前記第２の側面との距離が連続して変化する部分を有することを特徴とする請求項１２記載のアンテナ用誘電体基板。
【請求項１７】
前記導体が、少なくとも前記第２の側面に設けられた電極との接続部を具備することを特徴とする請求項１２記載のアンテナ用誘電体基板。
【発明の詳細な説明】
【０００１】
【発明の属する技術分野】
本発明は、広帯域アンテナに関する。
【０００２】
【従来の技術】
例えば特開昭５７−１４２００３号公報には以下のようなアンテナが開示されている。すなわち、図２２（ａ−１）及び（ａ−２）に示すように、円盤状の形状を有する平板である輻射素子１００１がアース板又は大地１００２に対して垂直に立設されたモノポールアンテナが開示されている。このモノポールアンテナにおいては、高周波電源１００４と輻射素子１００１とは給電線１００３で接続されており、輻射素子１００１の頂部が１／４波長の高さになるように構成されている。また、図２２（ｂ−１）及び（ｂ−２）に示すように、上部周縁が所定の放物線に沿った形状を有する平板である輻射素子１００５がアース板又は大地１００２に対して垂直に立設されたモノポールアンテナも開示されている。さらに、図２２（ｃ）に示すように、図２２（ａ−１）及び（ａ−２）に示したモノポールアンテナの輻射素子１００１を２つ対称配置して構成されるダイポールアンテナも開示されている。また、図２２（ｄ）に示すように、図２２（ｂ−１）及び（ｂ−２）に示したモノポールアンテナの輻射素子１００５を２つ対称配置して構成されるダイポールアンテナも開示されている。
【０００３】
また例えば特開昭５５−４１０９号公報には以下のようなアンテナが開示されている。すなわち、図２２（ｅ）に示すように、シート状に形成された楕円形のアンテナ１００６が、反射面１００７に対して、その長軸が平行に位置するように垂直に立設されており、給電は同軸給電線１００８を通じて行われる。また、ダイポール式に構成した場合の例を図２２（ｆ）に示す。ダイポール式の場合には、シート状楕円形アンテナ１００６ａを、同一平面上に、且つそれらの短軸が同一直線上に位置するよう配置し、平衡給電線１００９を接続するために両者に若干の間隔が設けられている。
【０００４】
さらに「Ｂ−７７  半円形状素子と線状素子の組み合わせによる超広帯域アンテナ」井原泰介，木島誠，常川光一，ｐｐ７７，１９９６年電子情報通信学会総合大会（以下非特許文献１と呼ぶ）には、図２２（ｇ）に示すようなモノポールアンテナが開示されている。図２２（ｇ）では、半円状のエレメント１０１０を、地板１０１１に対して垂直に立設し、エレメント１０１０の円弧において地板１０１１に最も近い点を給電部１０１２としている。非特許文献１には、円の半径がほぼ１／４波長となる周波数ｆＬが下限となることが示されている。また、非特許文献１には、図２２（ｈ）に示すように、図２２（ｇ）に示したエレメント１０１０に切り欠きを設けたエレメント１０１３を、地板１０１１に対して垂直に立設した例も説明されている。この非特許文献１では図２２（ｇ）のモノポールアンテナと図２２（ｈ）のモノポールアンテナとはＶＳＷＲ（Ｖｏｌｔａｇｅ  Ｓｔａｎｄｉｎｇ  Ｗａｖｅ  Ｒａｔｉｏ）特性はほとんど変わらないとしている。さらに非特許文献１では図２２（ｉ）に示すように、図２２（ｈ）のように切り欠きを設けたエレメントに、ｆＬ以下で共振するエレメント１０１４ａをメアンダモノポール構造として接続したエレメント１０１４を、地板１０１１に対して垂直に立設した例も示されている。なおエレメント１０１４ａは、切り欠き部分に収まるように設置されている。エレメント１０１４ａのためｆＬより低い周波数で共振しているが、ＶＳＷＲ特性は悪い。なお、非特許文献１に関係して、「Ｂ−１３１  円板モノポールアンテナの整合改善」本田聡、伊藤猷顯、関一、神保良夫，２−１３１，１９９２年電子情報通信学会春季大会（以下非特許文献２）、「広帯域円板モノポールアンテナについて」本田聡，伊藤猷顯，神保良夫，関一，テレビジョン学会技術報告Ｖｏｌ．１５，Ｎｏ．５９，  ｐｐ．２５−３０，  １９９１．１０．２４（以下非特許文献３）にも円板モノポールアンテナについての記述がある。
【０００５】
以上説明したアンテナは、グランド面に対して様々な形状の平板導体を垂直に立設したモノポールアンテナ及び同一形状を有する平板導体を２つ用いる対称型ダイポールアンテナである。
【０００６】
また、特開平８−２１３８２０号公報（以下、特許文献３）に開示されている自動車電話用ガラスアンテナ装置を図２３に示す。図２３では、窓ガラス２上に、扇形状の放射用パターン１０３３と矩形状の接地用パターン１０３４とが形成され、給電点Ａは同軸ケーブル１０３５の芯線１０３５ａに接続され、接地点Ｂは同軸ケーブル１０３５の外側導体１０３５ｂに接続される。この特許文献３では、放射用パターン１０３３の形状は、二等辺三角形でも多角形でもよいとされている。
【０００７】
さらに、米国特許公開公報２００２−１２２０１０Ａ１（以下特許文献４と呼ぶ）には、図２４に示すように、グランド・エレメント１０２１内部に、テーパー付きの空領域１０２３と、給電点１０２５に伝送線１０２４が接続された駆動エレメント１０２２とが設けられたアンテナ１０２０が開示されている。なお、駆動エレメント１０２２において給電点１０２５の反対側でグランド・エレメント１０２１と駆動エレメント１０２２の間隔が最大となり、給電点１０２５付近でその間隔は最小となっている。駆動エレメント１０２２の給電点１０２５の反対側には窪みが設けられているが、窪み自体がグランド・エレメント１０２１と対向しており、駆動エレメント１０２２とグランド・エレメント１０２１との間隔を調整する一つの手段となっている。
【０００８】
【特許文献１】
特開昭５７−１４２００３号
【特許文献２】
特開昭５５−４１０９号
【特許文献３】
特開平８−２１３８２０号
【特許文献４】
米国特許公開公報２００２−１２２０１０Ａ１
【非特許文献１】
「Ｂ−７７  半円形状素子と線状素子の組み合わせによる超広帯域アンテナ」井原泰介，木島誠，常川光一，ｐｐ７７，１９９６年電子情報通信学会総合大会
【非特許文献２】
「Ｂ−１３１  円板モノポールアンテナの整合改善」本田聡、伊藤猷顯、関一、神保良夫，２−１３１，１９９２年電子情報通信学会春季大会
【非特許文献３】
「広帯域円板モノポールアンテナについて」本田聡，伊藤猷顯，神保良夫，関一，テレビジョン学会技術報告Ｖｏｌ．１５，Ｎｏ．５９，  ｐｐ．２５−３０，  １９９１．１０．２４
【０００９】
【発明が解決しようとする課題】
このように従来から様々なアンテナが存在しているが、従来の垂直設置型モノポールアンテナではサイズが大きくなってしまい、放射導体とグランド面との距離を制御するのが困難であり、アンテナ特性の制御が難しくなるという問題がある。また、従来の対称型ダイポールアンテナも放射導体同士の距離は放射導体の形が同じであるため制御するのが困難であるためアンテナ特性の制御が難しくなるという問題がある。
【００１０】
また、特許文献３の自動車電話用ガラスアンテナ装置は、８００ＭＨｚと１．５ＧＨｚで良好な感度指向特性を有するとされているが、十分に広帯域とは言えない。また、切り欠きを設けることについては何ら示されていない。
【００１１】
また、特許文献４記載のアンテナは、小型化を指向しているが、グランド・エレメント内部に駆動エレメントを設ける構造ではグランド・エレメントの分だけ小型化できない。
【００１２】
以上のような問題に鑑み、本発明の目的は、小型化が可能であり且つより広帯域化が可能な新規な形状のアンテナ及び当該アンテナ用誘電体基板を提供することである。
【００１３】
また本発明の他の目的は、小型化が可能であり且つアンテナ特性を制御し易くする新規な形状のアンテナ及び当該アンテナ用誘電体基板を提供することである。
【００１４】
本発明のさらに他の目的は、小型化が可能であり且つ低周波域の特性を改善することができる新規な形状のアンテナ及び当該アンテナ用誘電体基板を提供することである。
【００１５】
【課題を解決するための手段】
本発明の第１の態様に係るアンテナは、グランドパターンと、給電され且つ給電位置から最も遠い縁部分からグランドパターン側に切欠きが設けられた平面エレメントとを具備し、グランドパターンと平面エレメントとが併置されるものである。
【００１６】
切欠きを設けることによりさらに小型化が可能になると共に、低周波域における放射を得るための電流路を確保することができるようになる。グランド面に対して放射導体を立設する従来技術では切り欠きではアンテナ特性を制御できなかったが、本発明によれば制御できるようになる。また、グランドパターンと平面エレメントが併置されるので、設置体積が小さくなると共に、アンテナ特性、特にインピーダンス特性を制御しやすくなり、広帯域化を実現できるようになる。
【００１７】
なお、上で述べた平面エレメントが、当該平面エレメントに設けられた切欠き以外の縁部がグランドパターンに対向するように配置されるようにしてもよい。グランドパターンの部分と平面エレメントの部分が分かれるため、小型化が容易になる。さらに、グランドパターンと平面エレメントの部分が分かれていれば、グランドパターン上に他の部品を載せることも可能となるため、全体としても小型化を図ることができるようになる。
【００１８】
さらに、上で述べたグランドパターンが、平面エレメントの全ての縁部を囲うことなく、且つ切欠きを含む、平面エレメントの縁部の少なくとも一部に対して開口が設けられるように形成されるようにしてもよい。
【００１９】
なお、上記切欠きが矩形である場合もある。但し、他の形状の切欠きであってもよい。さらに、上記切欠きが、平面エレメントの給電位置を通る直線に対して対称形に形成されるようにしてもよい。
【００２０】
また、上で述べた平面エレメントが、グランドパターンに対向する辺を底辺とし、当該底辺に対して垂直又は実質的に垂直に側辺が設けられ、上辺に切欠きが設けられた形状を有するようにしてもよい。さらに、上記の底辺の両端の角が隅切されるようにしてもよい。
【００２１】
さらに、平面エレメントとグランドパターンとの少なくともいずれかが、グランドパターンと平面エレメントの距離を連続して変化させる部分を有するようにしてもよい。これにより、アンテナ特性、特にインピーダンス特性が制御し易くなり、広帯域化が実現できる。
【００２２】
また、平面エレメントのグランドパターンに対向する縁の少なくとも一部が曲線となっているような構成であってもよい。
【００２３】
さらに、平面エレメントが、誘電体基板と一体として形成されるようにしてもよい。さらに小型化できるようになる。
【００２４】
なお、グランドパターンとアンテナ用エレメント又は誘電体基板とは、非対向状態であり、互いの面が平行又は実質的に平行である、とも言える。また、グランドパターンとアンテナ用エレメント又は誘電体基板とは、完全には重なることなく、互いの面が平行又は実質的に平行であるとも言える。
【００２５】
本発明の第２の態様に係るアンテナ用誘電体基板は、誘電体の層と、当該アンテナ用誘電体基板の第１の側面に最も近い縁部分から第１の側面に対向する第２の側面方向に切欠きが形成されている導体を含む層とを有する。このような誘電体基板を用いれば、小型で広帯域な（特に低周波域の特性の良い）アンテナを実現できるようになる。
【００２６】
なお、上記切欠きが矩形である場合もある。但し、切欠きの形状は他の形状であっても良い。さらに、上記切欠きが、導体の給電位置を通る直線に対して対称形に形成されるようにしてもよい。
【００２７】
また、上で述べた導体が、第２の側面に最も近い辺を底辺とし、当該底辺に対して垂直又は実質的に垂直に側辺が設けられ、第１の側面に最も近い上辺に上記切欠きが設けられた形状を有するようにすることもできる。なお、上記底辺の両端の角が隅切りされているような構成でもよい。
【００２８】
また、導体の第２の側面に最も近い縁部が、第２の側面との距離が連続して変化する部分を有するようにしてもよい。さらに、上記導体が、少なくとも第２の側面に設けられた電極との接続部を具備するようにしてもよい。
【００２９】
【発明の実施の形態】
［実施の形態１］
本発明の第１の実施の形態に係るアンテナの構成を図１（ａ）及び図１（ｂ）に示す。本実施の形態に係るアンテナは、半円形の導体平板であり且つ切欠部５が設けられている平面エレメント１と、平面エレメント１と併置されるグランドパターン２と、平面エレメント１の給電点１ａと接続される高周波電源３とにより構成される。平面エレメント１の直径Ｌ１は例えば２０ｍｍであり、切欠部５の間口Ｌ２は例えば１０ｍｍであり、平面エレメント１の天頂部１ｂ（給電点１ａから最も遠い縁部）からグランドパターン２側に例えば深さＬ３（＝５ｍｍ）くぼんでいる。給電点１ａは、平面エレメント１とグランドパターン２との距離が最短となる位置に設けられる。
【００３０】
また、給電点１ａを通る直線４に対して平面エレメント１とグランドパターン２とは左右対称となっている。切欠部５についても直線４に対して対称となっている。また、平面エレメント１の円弧上の点からグランドパターン２までの最短距離についても、直線４に対して左右対称となっている。すなわち、直線４からの距離が同じであれば、平面エレメント１の円弧上の点からグランドパターン２までの最短距離は同じになる。
【００３１】
本実施の形態では、平面エレメント１に面するグランドパターン２の辺２ａは直線となっている。従って、平面エレメント１の円弧上の任意の点とグランドパターン２の辺２ａとの最短距離は、給電点１ａから遠ざかると共に円弧に沿って連続的且つ曲線的に漸増するようになっている。すなわち、本実施の形態に係るアンテナには、平面エレメント１とグランドパターン２との距離が連続的に変化する連続変化部が設けられている。このような連続変化部を設けることにより、平面エレメント１とグランドパターン２との結合度合いを調整している。この結合度合いを調整することにより、特に高周波側の帯域を延ばす効果がある。
【００３２】
また本実施の形態では、図１（ｂ）で示すように、平面エレメント１は、グランドパターン２の中心線５上に配置されている。従って、本実施の形態においては平面エレメント１とグランドパターン２とが同一平面内に配置されている。但し、必ずしも両者を同一平面内に配置しなくともよく、例えば互いの面が平行又はほぼ平行といった形で配置しても良い。
【００３３】
さらに本実施の形態では、平面エレメント１は、当該平面エレメント１に設けられた切欠部５以外の縁部がグランドパターン２に対向するように配置される。逆にいえば、切欠部５が設けられた縁部は、グランドパターン２に対向せず、またグランドパターン２に囲まれない。すなわち、平面エレメント１の部分とグランドパターン２の部分が分かれるため、無駄なグランドパターン２の領域を設ける必要がなく、小型化が容易になる。さらに、グランドパターン２と平面エレメント１の部分が分かれていれば、グランドパターン２上に他の部品を載せることも可能となるため、全体としても小型化を図ることができるようになる。この特性は以下で述べる全ての実施の形態で共通するものである。
【００３４】
図１（ａ）及び（ｂ）に示したアンテナの動作原理を説明するため、円形の平面エレメントを用いた場合、及び半円形の平面エレメントを用いた場合の動作原理から説明する。図２に示すように円形の平面エレメントを用いると、給電点２１ａから円形平面エレメント２１の円周に向けて放射状に広がる各電流２６がそれぞれ共振点を形成するため、連続的な共振特性を得ることができ、広帯域化が実現される。図２の例では、円形平面エレメント２１の直径に相当する電流路が最も長いため、直径の長さを１／４波長とする周波数がほぼ下限周波数となり、当該下限周波数以上において連続的な共振特性が得られる。
【００３５】
また、図２に示すように、円形平面エレメント２１上に流れる電流による電磁界結合２７が、グランドパターン２２との間に発生する。すなわち、より周波数が低い場合には、放射に寄与する電流路２６がグランドパターン２２の辺２２ａに対して垂直に立っているために広範囲にグランドパターン２２との結合を生じ、より高い周波数の場合には、電流路が水平に傾いていくため、狭い範囲にてグランドパターン２２との結合が生じる。グランドパターン２２との結合については、アンテナのインピーダンス等価回路における容量成分Ｃと考えられ、高周波帯域と低周波帯域では電流路の傾き加減によって容量成分Ｃが変化する。容量成分Ｃの値が変化すれば、アンテナのインピーダンス特性に大きく影響を与えることになる。より具体的には、容量成分Ｃは円形平面エレメント２１とグランドパターン２２との距離に関係している。
【００３６】
なお、従来技術のようにグランド面に対して垂直に円板を立設する場合には、グランド面と円板との距離を微妙に制御することはできない。一方、図１（ａ）及び（ｂ）並びに図２に示すように、平面エレメント１又は円形平面エレメント２１とグランドパターン２又は２２とを併置する場合には、グランドパターン２又は２２の形状を変更すれば、アンテナのインピーダンス等価回路における容量成分Ｃを変更することができるため、より好ましいアンテナ特性を得るように設計することができる。
【００３７】
次に円より半円の方が平面エレメントの大きさは小さくなるので、図３に示すように半円形の平面エレメント３１を用いることを考えてみる。給電点３１ａから半円形の平面エレメント３１の円弧を含む外周に向けて放射状に広がる各電流３６がそれぞれ共振点を形成して、連続的な共振特性を得るという点は図２に示した円形の平面エレメント２１を用いる場合と同じである。しかし、図３の例では、円形から半円形に形状が変更されているため、電流路の長さは円形の場合に比して短くなってしまう。円の半径より長い電流路も存在するが、円の半径の長さを１／４波長とする周波数がほぼ下限周波数となってしまい、小型化の影響で特に低周波域の特性が落ちてしまうという問題が生ずる。
【００３８】
そこで図１（ａ）及び（ｂ）において示した本実施の形態のように平面エレメント１に切欠部５を設けると、図４に示すように、電流は給電点１ａから天頂部１ｂまでを切欠部５のため直線的には流れることができず、図４に示すように切欠部５を迂回するようになる。このように、電流路は切欠部５を迂回するような形で構成されるため長くなり、放射の下限周波数を低くすることができる。従って、広帯域化が実現できるようになる。
【００３９】
本実施の形態におけるアンテナは、切欠部５の形状及び平面エレメント１とグランドパターン２との距離によりそのアンテナ特性を制御し得るようになっている。但し、従来技術のように放射導体をグランド面に対して垂直に立設するようなアンテナでは、切欠部ではアンテナ特性を制御することができないことが知られている（非特許文献１）。本実施の形態のように、平面エレメント１とグランドパターン２を併置することにより、切欠部５によりアンテナ特性を制御できるようになる。
【００４０】
図５に、平面エレメント１を従来技術のようにグランド面に対して垂直に立設した場合のインピーダンス特性と、図１（ａ）及び（ｂ）に示す本実施の形態に係るアンテナのインピーダンス特性をグラフにして示す。図５においては、縦軸はＶＳＷＲを示し、横軸は周波数を示す。実線１０１で表された本実施の形態に係るアンテナの周波数特性は３ＧＨｚより低い周波数でＶＳＷＲが２を下回り、５ＧＨｚから７ＧＨｚぐらいまでＶＳＷＲが２を若干超える部分があるが、１１ＧＨｚを超えるまでほぼ２程度となっている。一方、太線１０２で表された従来技術に係るアンテナの周波数特性は５ＧＨｚになる前ぐらいまで本実施の形態と同様の値にはならず、また１１ＧＨｚあたりからＶＳＷＲの値が大きくなってしまっている。すなわち、本実施の形態のアンテナの方が低周波帯域及び高周波帯域にて特性がよいという顕著な効果を示している。
【００４１】
このように単に平面エレメント１とグランドパターン２との距離が制御しやすくなるというだけではなく、平面エレメント１とグランドパターン２の「併置」により安定的に広帯域化できるという効果もある。そして、切欠部５により平面エレメント１の小型化も可能となっている。
【００４２】
なお、図示しないがグランドパターン２の平面エレメント１に対向する部分については変形させ、テーパーを付すようにしても良い。切欠部５の形状と共にアンテナ特性を所望の態様に制御することができる。
【００４３】
また、平面エレメント１は、従来技術と同様にモノポールアンテナの放射導体であるとも考えられる。一方で、本実施の形態におけるアンテナは、グランドパターン２も放射に寄与している部分もあるので、ダイポールアンテナであるとも言える。但し、ダイポールアンテナは通常同一形状を有する２つの放射導体を用いるため、本実施の形態におけるアンテナは、非対称型ダイポールアンテナとも呼べる。さらに、本実施の形態におけるアンテナは、進行波アンテナとも考えられる。このような考え方は以下で述べる全ての実施の形態に適用可能である。
【００４４】
さらに、切欠部５の形状は矩形に限定されるものではない。例えば、逆三角形の切欠部５を採用するようにしても良い。その場合には、例えば給電点１ａと逆三角形の１つの頂点が直線４上に載るように配置する。さらに、切欠部５は、台形であってもよい。台形の場合には、その底辺を上辺より長くすると、電流路が切欠部５を迂回する長さが長くなるので平面エレメント１における電流路をより長くすることができる。また、切欠部５の角を丸める場合もある。
【００４５】
［実施の形態２］
本発明の第２の実施の形態に係るアンテナの構成を図６に示す。本実施の形態では、半円形の導体平板であり且つ切欠部４５が設けられている平面エレメント４１及びグランドパターン４２を誘電率２から５のプリント基板（例えば、ＦＲ−４、テフロン（登録商標）などを素材とする樹脂基板）に形成した場合の例を説明する。
【００４６】
第２の実施の形態に係るアンテナは、平面エレメント４１と、当該平面エレメント４１と併置されるグランドパターン４２と、平面エレメント４１に接続される高周波電源とから構成される。なお図６において高周波電源は省略されている。平面エレメント４１には、高周波電源に接続され且つ給電点を構成する突起部４１ａと、グランドパターン４２の辺４２ａに対向する曲線部４１ｂと、天頂部４１ｄからグランドパターン４２の方向に窪ませた矩形の切欠部４５と、低周波用の電流路を確保するための腕部４１ｃとが設けられている。なお、側面の構成については図１（ｂ）とほぼ同じである。
【００４７】
グランドパターン４２には、平面エレメント４１の突起部４１ａを収容するための窪み４７が設けられている。従って、平面エレメント４１に対向する辺４２ａは、一直線になっておらず、２つの辺に分割されている。なお、給電位置となる突起部４１ａの中心を通る直線４４にて、本実施の形態に係るアンテナは左右対称となっている。すなわち、切欠部４５も左右対称である。平面エレメント４１の曲線４１ｂとグランドパターン４２の辺４２ａとの距離は、直線４４から離れるほど次第に長くなっている。
【００４８】
なお、切欠部４５の形状は矩形に限定されるものではない。第１の実施の形態において述べたような切欠部の形状を採用するようにしても良い。
【００４９】
図７に本実施の形態のアンテナのインピーダンス特性を示す。図７において、縦軸はＶＳＷＲを、横軸は周波数（ＧＨｚ）を表す。ＶＳＷＲが２．５以下の周波数帯域は、約２．９ＧＨｚから約９．５ＧＨｚと広帯域になっている。約６ＧＨｚで一旦ＶＳＷＲが２近くになっているが、許容できる範囲である。ＶＳＷＲが２．５となる周波数が約２．９ＧＨｚと非常に低くなっているのは切欠部４５を設けたためである。
【００５０】
［実施の形態３］
本発明の第３の実施の形態に係るアンテナの構成を図８に示す。本実施の形態では、導体で平板の矩形であり且つ切欠部５５が設けられている平面エレメント５１及びグランドパターン５２を誘電率２から５のプリント基板（ＦＲ−４、テフロン（登録商標）など）に形成した場合の例を説明する。
【００５１】
第３の実施の形態に係るアンテナは、平面エレメント５１と、当該平面エレメント５１と併置されるグランドパターン５２と、平面エレメント５１に接続される高周波電源とから構成される。なお図８において高周波電源は省略されている。平面エレメント５１には、高周波電源に接続し且つ給電点を構成する突起部５１ａと、グランドパターン５２の辺５２ａに対向する底辺５１ａと、当該底辺５１ａに対して垂直に接続されている側辺部５１ｂと、天頂部５１ｄからグランドパターン５２の方向に窪ませた矩形の切欠部５５と、低周波用の電流路を確保するための腕部５１ｃとが設けられている。
【００５２】
グランドパターン５２には、平面エレメント５１の突起部５１ａを収容するための窪み５７が設けられている。従って、平面エレメント５１に対向する辺５２ａは、一直線になっておらず、２つの辺に分割されている。なお、給電位置となる突起部５１ａの中心を通る直線５４にて、本実施の形態に係るアンテナは左右対称となっている。従って、切欠部５５も左右対称となっている。また、側面の構成は図１（ｂ）とほぼ同じである。
【００５３】
なお、切欠部４５の形状は矩形に限定されるものではない。第１の実施の形態において述べたような切欠部の形状を採用するようにしても良い。
【００５４】
図９に本実施の形態のアンテナのインピーダンス特性を示す。図９において、縦軸はＶＳＷＲを、横軸は周波数（ＧＨｚ）を表す。全体的に好ましい特性を示していないが、これはグランドパターン５２の辺５２ａと平面エレメント５１の底辺５１ａが平行になっており、インピーダンスの調整が行われていないためである。但し、楕円１１０で囲んだ部分では、切欠部５５による効果が現れており、ＶＳＷＲカーブの低下度合いが比較的大きくなっている。
【００５５】
本実施の形態のように、グランドパターン５２の辺５２ａと平面エレメント５１の底辺５１ａを平行にせず、グランドパターン５２と平面エレメント５１との間隔が外側から給電点５１ａに向かって連続的に短くなるように、グランドパターン５２をカットするようにしても良い。カットの方式としては、直線的であっても、曲線的であっても良い。
【００５６】
［実施の形態４］
本発明の第４の実施の形態に係るアンテナの構成を図１０（ａ）及び（ｂ）に示す。第４の実施の形態に係るアンテナは、切欠部６５を有する導体の平面エレメント６１を内部に含み且つ誘電率約２０の誘電体基板６７と、誘電体基板６７にＬ４（＝１．０ｍｍ）の間隔をおいて併置され且つ誘電体基板６７に向かってテーパーが付されたグランドパターン６２と、例えばプリント基板である基板６６と、平面エレメント６１の給電点６１ａに接続される高周波電源６３とにより構成される。誘電体基板６７のサイズは、およそ８ｍｍ×１０ｍｍ×１ｍｍとなっている。また、給電点６１ａを通る直線６４に対して平面エレメント６１の底辺６１ｂは垂直になっており、辺６１ｃは直線６４に平行になっている。平面エレメント６１の底辺６１ｂの角は隅切されており、辺６１ｆが設けられ、底辺６１ｂはこの辺６１ｆを介して辺６１ｃに接続している。また、平面エレメント６１の天頂部６１ｄには矩形の切欠部６５が設けられている。切欠部６５は、天頂部６１ｄからグランドパターン６２側に矩形に窪ませることにより形成されている。給電点６１ａは底辺６１ｂの中点に設けられている。
【００５７】
また、給電点６１ａを通る直線６４に対して平面エレメント６１とグランドパターン６２とは左右対称となっている。従って、切欠部６５も左右対称となっている。また、平面エレメント６１の底辺６１ｂ上の点から直線６４に平行にグランドパターン６２まで降ろした線分の長さ（以下距離と呼ぶ）についても、直線６４に対して左右対称となっている。
【００５８】
図１０（ｂ）は側面図であり、基板６６の上にグランドパターン６２と、誘電体基板６７とが設けられている。基板６６とグランドパターン６２が一体形成される場合もある。なお、本実施の形態では、誘電体基板６７の内部に平面エレメント６１が形成されている。すなわち、誘電体基板６７は、セラミックス・シートを積層して形成され、そのうちの一層として導体の平面エレメント６１も形成される。従って、実際は上から見ても図１０（ａ）のようには見えない。誘電体基板６７内部に平面エレメント６１を構成すれば、露出させた場合に比して誘電体の効果が若干強くなるため小型化でき、さびなどに対する信頼性も増す。但し、誘電体基板６７表面に平面エレメント６１を形成するようにしてもよい。また、誘電率も変更することができ、単層、多層のいずれであってもよい。単層ならば基板６６上に平面エレメント６１を形成することになる。
【００５９】
なお、本実施の形態において、誘電体基板６７はグランドパターン６２と平行又は実質的に平行に配置されている。この配置により、誘電体基板６７の一層に含まれる平面エレメント６１もグランドパターン６２と平行又は実質的に平行になる。
【００６０】
このように平面エレメント６１を誘電体基板６７で覆うような形で形成すると、誘電体により平面エレメント６１周辺の電磁界の様子が変化する。具体的には、誘電体の中の電界密度が増す効果と波長短縮効果が得られるため、平面エレメント６１を小型化することができるようになる。また、これらの効果により電流路の打ち上げ角度が変化し、アンテナのインピーダンス等価回路における誘導成分Ｌ及び容量成分Ｃが変化する。即ち、インピーダンス特性に大きな影響が出てくる。このインピーダンス特性への影響を踏まえた上で所望の帯域で所望のインピーダンス特性を得るように平面エレメント６１の形状の最適化を行う。
【００６１】
本実施の形態において、グランドパターン６２の上縁部６２ａ及び６２ｂは、グランドパターン６２の幅が２０ｍｍのところ、側端部において長さＬ５（＝２乃至３ｍｍ）だけ直線６４との交点より下に下がっている。すなわち、グランドパターン６２は平面エレメント６１に向かって先細り形状を有している。平面エレメント６１の底辺６１ｂは直線６４に対して垂直になっているので、平面エレメント６１の底辺６１ｂとグランドパターン６２との距離は、側端部に向けて線形に増加する。
【００６２】
本実施の形態に係る平面エレメント６１の形状は、より小型化を図ると共に、図１１に示すように所望の周波数帯域を得るための電流路６８を確保するため、矩形の切欠部６５を有する形状となっている。この切欠部６５の形状によってアンテナ特性を調整することができる。
【００６３】
［実施の形態５］
本発明の第５の実施の形態に係るアンテナは、図１２に示すように、平面エレメント７１を内部に含み且つ誘電率約２０の誘電体基板７７と、誘電体基板７７と併置され且つその上端部７２ａが円弧形状を有するグランドパターン７２と、例えばプリント基板である基板７６と、平面エレメント７１の給電点７１ａに接続される高周波電源７３とにより構成される。誘電体基板７７のサイズは、およそ８ｍｍ×１０ｍｍ×１ｍｍとなっている。また、給電点７１ａを通る直線７４に対して平面エレメント７１の底辺７１ｂは垂直になっており、当該底辺７１ｂに接続される辺７１ｃは直線７４に平行になっている。また、平面エレメント７１の天頂部７１ｄには切欠部７５が設けられている。切欠部７５は、天頂部７１ｄからグランドパターン７２側に矩形に窪ませることにより形成されている。給電点７１ａは底辺７１ｂの中点に設けられている。なお、第４の実施の形態に係る誘電体基板６７の平面エレメント６１と本実施の形態に係る誘電体基板７７の平面エレメント７１との差は、底辺の隅切りの有無である。
【００６４】
平面エレメント７１とグランドパターン７２とは、給電点７１ａを通る直線７４に対して、左右対称となっている。また、平面エレメント７１の底辺７１ｂ上の点から直線７４に平行にグランドパターン７２まで降ろした線分の長さ（以下距離と呼ぶ）についても、直線７４に対して左右対称となっている。
【００６５】
グランドパターン７２の上縁部７２ａが上に凸の円弧となっているため、グランドパターン７２の側端部に向かって、平面エレメント７１とグランドパターン７２との距離は漸増してゆく。側面の構成については図１０（ｂ）と同様である。
【００６６】
グランドパターン７２の上縁部７２ａの曲線についてはその曲率を調整することにより、所望の周波数帯において所望のインピーダンス特性を得るようにすることができる。
【００６７】
［実施の形態６］
本発明の第６の実施の態様に係るアンテナは、図１３に示すように、第５の実施の形態と同じ形状の平面エレメント７１を含む誘電体基板７７と、当該誘電体基板７７に併置され且つその上縁部８２ａ及び８２ｂがそれぞれ下向きの飽和曲線となっているグランドパターン８２と、誘電体基板７７及びグランドパターン８２が設置される例えばプリント基板である基板８６と、平面エレメント７１の給電点７１ａと接続される高周波電源８３とから構成される。
【００６８】
平面エレメント７１とグランドパターン８２とは、給電点７１ａを通る直線８４に対して、左右対称となっている。また、平面エレメント７１の底辺７１ｂ上の点から直線８４に平行にグランドパターン８２まで降ろした線分の長さ（以下距離と呼ぶ）についても、直線８４に対して左右対称となっている。
【００６９】
グランドパターン８２の上縁部８２ａ及び８２ｂが、それぞれ直線８４との交点を起点とする下向きの飽和曲線となっているため、平面エレメント７１とグランドパターン８２との距離は次第に所定の値に漸近するようになる。
【００７０】
グランドパターン８２の上縁部８２ａ及び８２ｂの曲線についてはその曲率を調整することにより、所望の周波数帯域において所定のインピーダンス特性を得るようにすることができる。
【００７１】
［実施の形態７］
本発明の第７の態様に係るアンテナは、図１４に示すように、第５の実施の態様と同じ形状の平面エレメント７１を含む誘電体基板７７と以下述べるような形状を有するグランドパターン９２とを含む、例えばプリント基板である基板９６と、図示しない高周波電源とで構成される。すなわち、グランドパターン９２の側端部の長さが３５ｍｍ（＝Ｌ７）で、横幅が２０ｍｍ（＝Ｌ８）となっている。また、グランドパターン９２の上縁部の傾斜は、最も高い部分から側端部までの高さが３ｍｍ（＝Ｌ６）になるようにテーパーが付されている。
【００７２】
このようなアンテナのインピーダンス特性を図１５に示す。図１５のグラフにおいて、縦軸がＶＳＷＲを、横軸が周波数（ＧＨｚ）を示している。例えばＶＳＷＲが２．５以下となる周波数帯域は、およそ３．１ＧＨｚから７．８ＧＨｚとなる。ＶＳＷＲの値は、高周波帯域では大きく変動する部分があるが、約３．１ＧＨｚでＶＳＷＲが２．５になるように低周波側の帯域が拡大しており、上でも述べたように切欠部を有する平面エレメントにより低周波帯域側のインピーダンス特性を改善している。
【００７３】
［実施の形態８］
本発明の第８の実施の形態に係るアンテナの構成を図１６に示す。本実施の形態では、矩形の導体平板であり且つ且つ切欠部１１０５が設けられている平面エレメント１１０１を誘電率約２０の誘電体基板１１０６に形成した場合の例を説明する。本実施の形態に係るアンテナは、平面エレメント１１０１を内部に含み且つ外部電極１１０６ａが外部に設けられている誘電体基板１１０６と、図示しない高周波電源と接続して平面エレメント１１０１に給電し且つ誘電体基板１１０６の外部電極１１０６ａと接続するための給電部１１０８と、給電部１１０８を収容するための窪み１１０７を有しており且つプリント基板等の基板１１０９に形成されたグランドパターン１１０２とにより構成される。
【００７４】
外部電極１１０６ａは、平面エレメント１１０１の突起部１１０１ａと接続しており、誘電体基板１１０６の裏面（点線部分）まで伸びている。給電部１１０８は、誘電体基板１１０６の側面端部及び裏面に設けられた外部電極１１０６ａと接触し、点線部分で重なっている。
【００７５】
平面エレメント１１０１には、外部電極１１０６ａと接続する突起部１１０１ａと、グランドパターン１１０２の辺１１０２ａに対向する辺１１０１ｂと、低周波用の電流路を確保するための腕部１１０１ｃと、天頂部１１０１ｄからグランドパターン１１０２方向に窪ませた矩形の切欠部１１０５とが設けられている。また、辺１１０１ｂと側辺部１１０１ｇとは隅切りにより設けられた辺１１０１ｈを介して接続している。なお、平面エレメント１１０１を含む誘電体基板１１０６は、グランドパターン１１０２に対して併置されている。
【００７６】
なお、本実施の形態では、誘電体基板１１０６の内部に平面エレメント１１０１が形成されている。すなわち、誘電体基板１１０６は、セラミックス・シートを積層して形成され、そのうちの一層として導体の平面エレメント１１０１も形成される。従って、実際は上から見ても図１６のようには見えない。但し、誘電体基板１１０６表面に平面エレメント１１０１を形成するようにしてもよい。
【００７７】
グランドパターン１１０２には、給電部１１０８を収容するための窪み１１０７が設けられているため、平面エレメント１１０１に対向する辺１１０２ａは、一直線になっておらず、２つの辺に分割されている。なお、給電位置となる給電部１１０８の中心を通る直線１１０４にて、本実施の形態に係るアンテナは左右対称となっている。矩形の切欠部１１０５も左右対称となっている。平面エレメント１１０１の辺１１０１ｂとグランドパターン１１０２の辺１１０２ａとの距離が、直線１１０４から離れるほど直線的に長くなるように辺１１０２ａには傾斜が設けられている。すなわち、グランドパターン１１０２は誘電体基板１１０６に向かって先細り形状を有している。なお、側面の構成については、給電部１１０８及び外部電極１１０６ａの部分を除きほぼ図１０（ｂ）と同じである。
【００７８】
図１７に本実施の形態のアンテナのインピーダンス特性を示す。図１７において、縦軸はＶＳＷＲを、横軸は周波数（ＧＨｚ）を表す。ＶＳＷＲが２．５以下の周波数帯域は、約３．１ＧＨｚから約７．６ＧＨｚとなっている。ＶＳＷＲの値は、高周波帯域では大きく変動する部分があるが、約３．１ＧＨｚでＶＳＷＲが２．５となるように低周波側の帯域が拡大しており、上でも述べたように切欠部を有する平面エレメントにより低周波帯域側のインピーダンス特性を改善している。
【００７９】
［実施の形態９］
本発明の第９の実施の形態に係るアンテナの構成を図１８に示す。本実施の形態では、第８の実施の形態に係る平面エレメントとは異なり、グランドパターン１２０２と対向する部分が曲線である平面エレメント１２０１を誘電率約２０の誘電体基板１２０６に形成した場合の例を説明する。第９の実施の形態に係るアンテナは、導体の平面エレメント１２０１を内部に含み且つ外部電極１２０６ａが外部に設けられている誘電体基板１２０６と、図示しない高周波電源と接続して平面エレメント１２０１に給電し且つ誘電体基板１２０６の外部電極１２０６ａと接続するための給電部１２０８と、給電部１２０８を収容するための窪み１２０７を有しており且つプリント基板等の基板１２０９に形成されたグランドパターン１２０２とにより構成される。外部電極１２０６ａは、平面エレメント１２０１の突起部１２０１ａと接続しており、誘電体基板１２０６の裏面（点線部分）まで伸びている。給電部１２０８は、誘電体基板１２０６の側面端部及び裏面に設けられた外部電極１２０６ａと接触し、点線部分で重なっている。
【００８０】
平面エレメント１２０１には、外部電極１２０６ａと接続する突起部１２０１ａと、グランドパターン１２０２の辺１２０２ａに対向する曲線部１２０１ｂと、低周波用の電流路を確保するための腕部１２０１ｃと、天頂部１２０１ｄからグランドパターン１２０２方向に窪ませた矩形の切欠部１２０５とが設けられている。平面エレメント１２０１を含む誘電体基板１２０６は、グランドパターン１２０２に対して併置されている。
【００８１】
なお、本実施の形態では、誘電体基板１２０６の内部に平面エレメント１２０１が形成されている。すなわち、誘電体基板１２０６は、セラミックス・シートを積層して形成され、そのうちの一層として導体の平面エレメント１２０１も形成される。従って、実際は上から見ても図１８のようには見えない。誘電体基板１２０６内部に平面エレメント１２０１を構成すれば、露出させた場合に比して誘電体の効果が若干強くなるため小型化でき、さびなどに対する信頼性も増す。但し、誘電体基板１２０６表面に平面エレメント１２０１を形成するようにしてもよい。
【００８２】
グランドパターン１２０２には、給電部１２０８を収容するための窪み１２０７が設けられているため、平面エレメント１２０１に対向する辺１２０２ａは、一直線になっておらず、２つの辺に分割されている。なお、給電位置となる給電部１２０８の中心を通る直線１２０４にて、本実施の形態に係るアンテナは左右対称となっている。矩形の切欠部１２０５も左右対称である。平面エレメント１２０１の曲線１２０１ｂとグランドパターン１２０２の辺１２０２ａとの距離は、直線１２０４から離れるほど次第に長くなっている。また、直線１２０４に対して左右対称である。なお、側面の構成については、給電部１２０８及び外部電極１２０６ａの部分以外はほぼ図１０（ｂ）と同じである。
【００８３】
図１９に本実施の形態のアンテナのインピーダンス特性を示す。図１９において、縦軸はＶＳＷＲを、横軸は周波数（ＧＨｚ）を表す。ＶＳＷＲが２．５以下の周波数帯域は、約３．２ＧＨｚから約８．２ＧＨｚとなっている。第８の実施の形態に係るインピーダンス特性（図１７）と本実施の形態に係るインピーダンス特性（図１９）とを比較すると、低周波域の特性がほぼ変わらないのに対し、高周波域の特性は大きく異なっている。第８の実施の形態に係る平面エレメント１１０１の形状と本実施の形態に係る平面エレメント１２０１の形状とでは、矩形の切欠部が存在する部分は同じであり、図１７と図１９の比較からも、矩形の切欠部が低周波域の特性改善に寄与していることが分かる。一方、第８の実施の形態に係る平面エレメント１１０１の形状と本実施の形態に係る平面エレメント１２０１の形状とでは、平面エレメントとグランドパターンとの距離という点において異なっており、この部分は図１７及び図１９の比較などから全体及び高周波域に影響があることが分かる。
【００８４】
［実施の形態１０］
本発明の第１０の実施の形態に係る無線通信カードのプリント基板１３０６を図２０に示す。本実施の形態に係るプリント基板１３０６は、第８の実施の形態に係る誘電体基板と同じ誘電体基板１１０６と、給電点１３０１ａに接続される高周波電源１３０３と、グランドパターン１３０２とを有する。誘電体基板１１０６は、プリント基板１３０６の右上端部に、グランドパターン１３０２に対してＬ１０（＝１ｍｍ）離れて設置される。誘電体基板１１０６に対向する辺１３０２ａは給電点１３０１ａに向かってテーパーが付されている。グランドパターン１３０２と誘電体基板１１０６の最短距離はＬ１０となる。給電点１３０１ａに最も近い、グランドパターン１３０２の点とプリント基板１３０６の側端部と辺１３０２ａとが交わる点の高さの差Ｌ１１は２乃至３ｍｍである。辺１３０２ａは、給電点を通る直線に対して対称となっているが、左側の辺１３０２ａは、長さＬ１１の垂直の辺１３０２ｂと接続しており、当該辺１３０２ｂは水平の辺１３０２ｃに接続している。本実施の形態は、辺１３０２ｃはさらに垂直の辺１３０２ｅに接続している。これにより、グランドパターン１３０２は、辺１３０２ｅ、辺１３０２ｃ、辺１３０２ｂ、辺１３０２ａにより誘電体基板１１０６を部分的に囲う形状を有している。すなわち、グランドパターン１３０２は、平面エレメント１１０１の全ての縁部を囲うことなく、且つ切欠部１１０５を含む、平面エレメント１１０１の縁部の少なくとも一部に対して開口が設けられるように形成される。本実施の形態では、平面エレメント１１０１の、切欠部１１０５を含む上縁部及び右側縁部に対向するグランドパターン１３０２は設けられておらず、プリント基板１３０６のカバーを考慮しなければ、開口が設けられていると言える。なお、Ｌ９は１０ｍｍである。
【００８５】
図２１に図２０に示したアンテナのインピーダンス特性を示す。なお、縦軸はＶＳＷＲで、横軸は周波数（ＭＨｚ）を示している。ＶＳＷＲのカーブを見ると、約４５００ＭＨｚ部分に低いピークが発生していることを除けば、約３５００ＭＨｚ以降ずっとＶＳＷＲが２以下になっている。ＶＳＷＲの閾値を２．４程度にすれば、約３０００ＭＨｚから１２０００ＭＨｚという超広帯域を実現できる。なお、この際、切欠部を有する平面エレメントの形状だけではなく、グランドパターンの形状、特に辺１３０２ｅより左部分のグランドパターンが特性改善に寄与していることが分かっている。
【００８６】
以上本発明の実施の形態を説明したが、本発明はこれに限定されない。上でも述べたが切欠部の形状は矩形を代表例として述べたが、場合によっては台形その他の多角形を採用する場合もある。また、切欠部の角を丸くするような加工を行う場合もある。
【００８７】
【発明の効果】
以上述べたように、本発明によれば、小型化が可能であり且つより広帯域化が可能な新規な形状のアンテナ及び当該アンテナ用誘電体基板を提供することができる。
【００８８】
また、他の側面として小型化が可能であり且つアンテナ特性を制御し易くする新規な形状のアンテナ及び当該アンテナ用誘電体基板を提供することができる。
【００８９】
さらに他の側面として、小型化が可能であり且つ低周波域の特性を改善することができる新規な形状のアンテナ及び当該アンテナ用誘電体基板を提供することができる。
【図面の簡単な説明】
【図１】（ａ）は第１の実施の形態におけるアンテナの構成を示す正面図、（ｂ）は側面図である。
【図２】円形の平面エレメントを含むアンテナの動作原理を説明するための図である。
【図３】半円形の平面エレメントを含むアンテナの動作原理を説明するための図である。
【図４】第１の実施の形態におけるアンテナの動作原理を説明するための図である。
【図５】第１の実施の形態にけるアンテナ及び従来技術におけるアンテナのインピーダンス特性を表すグラフである。
【図６】第２の実施の形態におけるアンテナの構成を示す図である。
【図７】第２の実施の形態におけるアンテナのインピーダンス特性を示す図である。
【図８】第３の実施の形態におけるアンテナの構成を示す図である。
【図９】第３の実施の形態におけるアンテナのインピーダンス特性を示す図である。
【図１０】（ａ）は第４の実施の形態におけるアンテナの構成を示す正面図、（ｂ）は側面図である。
【図１１】第４の実施の形態におけるアンテナの動作原理を説明するための図である。
【図１２】第５の実施の形態におけるアンテナの構成を示す図である。
【図１３】第６の実施の形態におけるアンテナの構成を示す図である。
【図１４】第７の実施の形態におけるアンテナの構成を示す図である。
【図１５】第７の実施の形態におけるアンテナのインピーダンス特性を示す図である。
【図１６】第８の実施の形態におけるアンテナの構成を示す図である。
【図１７】第８の実施の形態におけるアンテナのインピーダンス特性を示す図である。
【図１８】第９の実施の形態におけるアンテナの構成を示す図である。
【図１９】第９の実施の形態におけるアンテナのインピーダンス特性を示す図である。
【図２０】第１０の実施の形態における通信カードの構成を示す図である。
【図２１】第１０の実施の形態における通信カードのインピーダンス特性を示す図である。
【図２２】（ａ）乃至（ｉ）は従来のアンテナの構成を示す図である。
【図２３】従来のアンテナの構成を示す図である。
【図２４】従来のアンテナの構成を示す図である。
【符号の説明】
１  平面エレメント
２  グランドパターン
３  高周波電源
５  切欠部
６１  平面エレメント
６２  グランドパターン
６３  高周波電源
６５  切欠部
６６  基板
６７  誘電体基板
【図１】
2004328693.tif 000003
【図２】
2004328693.tif 000004
【図３】
2004328693.tif 000005
【図４】
2004328693.tif 000006
【図５】
2004328693.tif 000007
【図６】
2004328693.tif 000008
【図７】
2004328693.tif 000009
【図８】
2004328693.tif 000010
【図９】
2004328693.tif 000011
【図１０】
2004328693.tif 000012
【図１１】
2004328693.tif 000013
【図１２】
2004328693.tif 000014
【図１３】
2004328693.tif 000015
【図１４】
2004328693.tif 000016
【図１５】
2004328693.tif 000017
【図１６】
2004328693.tif 000018
【図１７】
2004328693.tif 000019
【図１８】
2004328693.tif 000020
【図１９】
2004328693.tif 000021
【図２０】
2004328693.tif 000022
【図２１】
2004328693.tif 000023
【図２２】
2004328693.tif 000024
【図２３】
2004328693.tif 000025
【図２４】
2004328693.tif 000026